(57)【要約】【課題】操作性が高く、患者の肉体的負担を軽減するようにした歯科用ドリルを提供する。【解決手段】ハンドピース３０に装着されて回転し、顎骨に孔をあけるインプラント用ドリル１において、ハンドピース３０に挿入されるシャンク１１と、シャンク１１の先端に設けられたボディ１２とを備え、その全長がレギュラーサイズのドリルの全長に対して、７８〜８４％である。【選択図】図１
2011152238.tif 000002
【特許請求の範囲】
【請求項１】
ハンドピースに装着されて回転し、顎骨に孔をあけるインプラント用ドリルにおいて、
前記ハンドピースに挿入されるシャンクと、前記シャンクの先端に設けられたボディとを備え、その全長がレギュラーサイズのドリルの全長に対して、７８〜８４％である、
ことを特徴とするインプラント用ドリル。
【請求項２】
前記シャンクと前記ボディとの境界に、前記シャンク及び前記ボディよりも大きな外径のフランジ部が一体的に設けられている、
ことを特徴とする請求項１に記載のインプラント用ドリル。
【請求項３】
前記ハンドピースに装着された際の、前記ハンドピースから前記フランジ部における前記ハンドピースと反対側の面までの長さをシャンクの突出長さとしたときに、前記突出長さが、４〜５ｍｍである、
ことを特徴とする請求項２に記載のインプラント用ドリル。
【請求項４】
前記シャンクの基端部に回り止めとしてのＤカット部と、抜け止めとしての小径部とを有している、
ことを特徴とする請求項１ないし３のいずれか１項に記載のインプラント用ドリル。
【発明の詳細な説明】
【技術分野】
【０００１】
本発明は、インプラント手術において、顎骨に孔をあけるためにハンドピースに装着して使用されるインプラント用ドリルに関する。
【背景技術】
【０００２】
歯科において、入れ歯に代わる技術としてデジタルインプラント（以下単に「インプラント」という。）が知られている（例えば、特許文献１参照。）
【０００３】
インプラント治療においては、歯が喪失された部分の顎骨に孔をあけてフィクスチャーを埋入し、このフィクスチャーに土台となるアッバメントを接続し、さらに、このアッバメントに上部構造（人口歯冠）を装着して行われる。
【０００４】
ここで、顎骨に孔をあける際には、各種のインプラント用ドリルがハンドピースに装着されて使用される。これらのインプラント用ドリルには、一般に、それぞれ全長が異なる２種類、つまりレギュラーとこれよりも長さが長いエクステンションとがあり、適宜、使い分けられている。例えば、奥歯の抜けた後にインプラントを施術する場合には、患者が口を大きく開けたとしても、前歯に対応する部分ほどは大きく開けることができないので、一般に、レギュラーが使用される。
【先行技術文献】
【特許文献】
【０００５】
【特許文献１】特表２００８−５３１０９５号公報
【発明の概要】
【発明が解決しようとする課題】
【０００６】
しかしながら、歯科技術は、欧米を中心に発達してきたため、治療や施術に使用される、歯科用ドリルをはじめとする歯科器具は、欧米人の標準的な体格（口の大きさ）に合わせてそのサイズが設計されているため、欧米人と比較して小柄な日本人とっては必ずしも好適なサイズであるとはいえない。特に、インプラント手術において奥歯が抜けた後の顎骨に穴をあける場合には、たとえ、レギュラーサイズのドリルを使用したとしても、一般的な日本人に対しては、長すぎて操作性が悪い場合が多いだけでなく、患者に長時間、大きく口を開けることを強要して患者の肉的負担となる。
【０００７】
本発明は、上述した事情に鑑みてなされたものであり、操作性が高く、患者の肉体的負担を軽減するようにしたインプラント用ドリルを提供することを目的とするものである。
【課題を解決するための手段】
【０００８】
上記目的を達成するために、本発明は、ハンドピースに装着されて回転し、顎骨に孔をあけるインプラント用ドリルにおいて、前記ハンドピースに装着されるシャンクと、前記シャンクの先端に設けられたボディとを備え、その全長がレギュラーサイズのドリルの全長に対して、７８〜８４％である、ことを特徴とする。
【０００９】
この構成によれば、例えば、ドリリングのための十分なスーペースを確保するのが困難な、奥歯が抜けた後の顎骨に孔をあける場合のドリル及びハンドピースの操作性を向上させるとともに、口の開口量を幾分少なくすることが可能なので、患者の肉体的な負担を軽減することができる。
【００１０】
上記構成において、前記シャンクと前記ボディとの境界に、前記シャンク及び前記ボディよりも大きな外径のフランジ部が一体的に設けられている、ようにしてもよい。
【００１１】
この構成によれば、ドリリングの際に、フランジ部が顎骨に当接することで、顎骨に所定の深さの孔をあけることができる。
【００１２】
上記構成において、前記ハンドピースに装着された際の、前記ハンドピースから前記フランジ部における前記ハンドピースと反対側の面までの長さをシャンクの突出長さとしたときに、前記突出長さが、４〜５ｍｍである、ようにしてもよい。
【００１３】
この構成によれば、全長を短くして操作性を向上させることができ、しかも、フラップレスオペにおいてもドリリングの際に、ハンドピースの一部が歯肉に接触することを防止することができる。
【００１４】
上記構成において、前記シャンクの基端部に回り止めとしてのＤカット部と、抜け止めとしての小径部とを有している、ようにしてもよい。
【００１５】
この構成によれば、Ｄカット部により、インプラント用ドリルに回転を付与し、抜け止めにより、インプラント用ドリルの脱落を防止することができる。
【発明の効果】
【００１６】
本発明によれば、操作性が高く、また、患者の肉体的負担を軽減することができる。
【図面の簡単な説明】
【００１７】
【図１】（Ａ）はドリル１の正面図であり、（Ｂ）はドリル１の右側面図である。
【図２】（Ａ）はハンドピース３０及びこれに装着された状態のドリル１の平面図（上面図）であり、（Ｂ）は（Ａ）中のＸ−Ｘ線矢視図である。
【発明を実施するための形態】
【００１８】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１９】
図１，図２を参照して、本発明を適用した実施形態１に係る歯科用ドリル１（以下単に「ドリル１」、又は、「ショートサイズのドリル１」という。）について説明する。
図１（Ａ）はドリル１の正面図であり、（Ｂ）はドリル１の右側面図である。図２（Ａ）はハンドピース３０及びこれに装着された状態のドリル１の平面図（上面図）であり、（Ｂ）は（Ａ）中のＸ−Ｘ線矢視図である。
【００２０】
図１，図２に示すように、ドリル１は、シャンク１１とボディ１２とを備えている。なお、以下では、ドリル１が下向きに使用される状態、つまり、患者の口腔内の下の顎骨に対してドリル１で孔をあける場合を例に説明する。上の顎骨に対してドリル１を使用する際には、ドリル１やハンドピース３０の上下が逆になる。
【００２１】
シャンク１１は、テーパのない、いわゆるストレートシャンクであって、中心軸Ｃに沿って長く延びる円柱状の形態をしている。シャンク１１の基端側（図中の上端）には、回り止めとなるＤカット１３ａが形成されたＤカット部１３が設けてある。さらに、このＤカット部１３には、細い溝状の小径部１４が形成されている。この小径部１４は、後述するハンドピース３０の係合板３４が係合されて、抜け止めとして作用する。
【００２２】
ボディ１２は、溝１６、山１７、切刃１８等を有していて、その構造は、レギュラーサイズやエクステンションサイズのドリルと同様である。
【００２３】
シャンク１１とボディ１２との境界には、フランジ部２０が一体的に設けられている。フランジ部２０は、下面２０ａと上面２０ｂとを有する円環状に形成されている。フランジ部２０は、シャンク１１及びボディ１２よりも大きな外径に形成されていて、ドリリングに際し、その下面２０ａを下の顎骨に当接させることで、ドリリングで穿孔される孔の深さを制限するストッパとして作用する。
【００２４】
ドリル１は、例えば、上述のシャンク１１とボディ１２とフランジ部２０とが、金属によって一体に構成されている。
【００２５】
なお、フランジ部２０を一体に構成するに代えて、例えば、樹脂製の円筒状のものをボディ１２の先端側、又はシャンク１１の基端側から挿入するようにしてもよい。
【００２６】
本実施形態では、ドリル１の全長Ｌを、レギュラーサイズのドリルの全長（一般に、３２ｍｍ）に対して、７８〜８４％とした。９０％を超えると、レギュラーサイズのドリルとの差別化が薄れて、ショートドリルとしてのメリットが少ない。一方、７５％未満の場合には、フラップレスオペにおいてドリリングの際にハンドピースの一部が歯肉に接触するという理由でドリリングに支承をきたすことになる。
【００２７】
上述構成のドリル１は、以下のようにして、ハンドピース３０に装着される。
【００２８】
ここで、図２（Ａ），（Ｂ）を参照して、ドリル１が装着可能な一般的なハンドピース３０について説明する。
【００２９】
ハンドピース３０は、ハンドピース本体３１の先端側に配設された回転体３２と、この回転体３２を回転駆動する駆動軸３３と、ドリル１の抜け止めとなる係止板３４とを備えている。
【００３０】
回転体３２は、上下方向を向いた軸心Ｓ（ドリル１の中心軸Ｃと一致）と同軸の略円筒状の形態をしていて、ハンドピース本体３１によって回転自在に支持されている。回転体３２の上部における内面には、上述のドリル１のシャンク１１のＤカット部１３に嵌合される嵌合部３２ａが内側に向けて突設されている。ドリル１は、この回転体３２に対して、シャンク１１が下方から挿入され、そのＤカット部１３が嵌合部３２ａに嵌合される。この嵌合により、ドリル１は、回転体３２に対する相対回転が禁止される。この嵌合状態において、シャンク１１の小径部１４は、回転体３２の上端よりも上方に位置して、後述する係止板３４によって係合される。回転体３２の外周面における、軸心Ｓに沿った方向の略中央には、ベベルギヤ３５が設けてある。
【００３１】
駆動軸３３は、回転体３２に対して直交するように、配置されていて、先端には、回転体３２のべベルギヤ３５に噛合するベベルギヤ３６が設けてある。駆動軸３３が回転すると、この回転は、ベベルギヤ３６，３５を介して９０度向きを変えて回転体３２に伝達され、回転体３２が回転する。この回転体３２の回転により、相対回転が禁止されているドリル１が回転するようになっている。
【００３２】
係止板３４は、長方形状の形態をしていて、ハンドピース本体３１の上面に、軸３７を基軸にして揺動可能に配設されている。係止板３４は、先端側にフック３８が形成されていて、図２（Ａ）に示すロック位置Ｐ１（実線及び点線で図示）では、そのフック３８が小径部１４に係合して、シャンク１１の抜け止めとなる。一方、待機位置Ｐ２（二点鎖線で図示）では、小径部１４に対する係合が解除されてシャンク１１の挿脱が可能になる。
【００３３】
本実施形態では、ドリル１は、ハンドピース３０に装着された状態において、ハンドピース３０（の先端側下部３０ａ）からフランジ部２０における下面２０ａ（ハンドピースと反対側の面）までの長さをシャンクの突出長さｔとしたときに、この突出長さｔが、４〜５ｍｍとなるように構成されている。突出長さｔが６ｍｍを超えると、レギュラーサイズのドリルとの差別化が薄れて、ショートドリルとしてのメリットが少ない。一方、３ｍｍ未満の場合には、フラップレスオペにおいてドリリングの際に、ドリル１のフランジ部２０における下面２０ａが顎骨に当接する前に、ハンドピース３０の先端側下部３０ａ近傍が、歯肉に接触するおそれがある。このような事情に鑑み、突出長さｔを４〜５ｍｍに設定した。
【００３４】
以上説明したように、本実施形態によれば、例えば、ドリリングのための十分なスーペースを確保するのが困難な、奥歯が抜けた後の顎骨に孔をあける場合のドリル１及びハンドピース３０の操作性を向上させるとともに、患者の口の開口量を少なくすることが可能なので、患者の肉体的な負担を軽減することができる。
【００３５】
また、シャンク１１とボディ１２との境界に、シャンク１１及びボディ１２よりも大きな外径のフランジ部２０を一体的に設ければ、ドリリングの際に、フランジ部２０が顎骨に当接することで、顎骨に開ける孔の深さを適宜な深さとすることができる。
【符号の説明】
【００３６】
１  ドリル（インプラント用ドリル）
１１  シャンク
１１ａ  ガイド孔
１２  ボディ
１３  Ｄカット部
１３ａ  Ｄカット
１４  小径部
２０  フランジ部
３０  ハンドピース
Ｃ  中心軸
Ｓ  軸心
Ｌ  ドリルの全長
ｔ  シャンクの突出長さ
【図１】
2011152238.tif 000003
【図２】
2011152238.tif 000004